(57)【特許請求の範囲】
【請求項１】
回転軸の端部を結合固定する為の基部と、この基部の軸方向先端縁のうちで、この基部に関する直径方向反対側となる２箇所位置から軸方向に延出した１対の腕部と、これら両腕部の先端部に互いに同心に形成された１対の円孔とを備え、
このうちの基部は、筒状であって、円周方向１箇所に、この基部の内周面と外周面と軸方向基端縁とにのみ開口する状態で設けられた軸方向に長いスリットと、このスリットを挟んで設けられた第一、第二両フランジ部と、このうちの第一フランジ部に、前記基部の中心軸に対し捩れの位置の関係で形成された通孔と、同じく第二フランジ部の一部でこの通孔に整合する位置に形成されたねじ孔と、前記第一フランジ部の外側面で前記通孔の開口部を囲む部分に形成された座面部とを備えており、
ボルトを、前記通孔に挿通すると共に、前記ねじ孔に螺合する事により、前記回転軸の端部を前記基部に結合固定する、
十字軸式自在継手用ヨークに於いて、
前記両腕部同士の配列方向と、前記第一、第二両フランジ部同士の配置方向とは、互いに９０度ずれており、
前記スリットの幅が前記基部の内側に前記回転軸の端部を挿入可能な寸法まで広くなっている状態で、前記ねじ孔の中心軸と前記座面部の中心軸とが、前記基部の軸方向に直交する仮想平面内でも、この基部の軸方向と前記第一、第二両フランジ部同士の配列方向とに平行な仮想平面内でも、互いに傾斜しており、この基部の内側で前記回転軸の端部を固定可能な寸法にまで前記スリットの幅を狭くした状態で、前記ねじ孔の中心軸と前記座面部の中心軸とが互いに一致する傾向になり、
自由状態で、前記通孔に挿通した前記ボルトの杆部を、前記ねじ孔に螺合する事が可能となる様に、前記通孔の内径寸法を、前記ボルトの杆部の外径寸法及び前記ねじ孔の内径寸法よりも大きく形成しており、
前記ボルトの杆部を前記ねじ孔に螺合した状態で、前記ボルトの杆部の外周面と、前記通孔の内周面とが当接しない事を特徴とする十字軸式自在継手用ヨーク。
【請求項２】
前記座面部の中心軸が前記第一フランジ部の厚さ方向に対して傾斜しており、且つ、前記ねじ孔の中心軸が前記第二フランジ部の厚さ方向に対して傾斜している、請求項１に記載した十字軸式自在継手用ヨーク。
【請求項３】
前記座面部の中心軸が前記第一フランジ部の厚さ方向に対して傾斜しており、且つ、前記ねじ孔の中心軸が前記第二フランジ部の厚さ方向に一致している構造と、前記座面部の中心軸が前記第一フランジ部の厚さ方向に一致しており、且つ、前記ねじ孔の中心軸が前記第二フランジ部の厚さ方向に対して傾斜している構造とのうちの、何れか一方の構造を採用している、請求項１に記載した十字軸式自在継手用ヨーク。
【発明の詳細な説明】
【技術分野】
【０００１】
この発明は、例えば自動車用操舵装置を構成する回転軸同士を、トルク伝達可能に接続する為の十字軸式自在継手（カルダンジョイント）を構成するヨークの改良に関する。
【背景技術】
【０００２】
自動車のステアリング装置は、図７に示す様に構成している。運転者が操作するステアリングホイール１の動きは、ステアリングシャフト２、自在継手３、中間シャフト４、別の自在継手３を介して、ステアリングギヤユニット５の入力軸６に伝達される。そして、このステアリングギヤユニット５に内蔵したラック＆ピニオン機構により左右１対のタイロッド７、７を押し引きし、左右１対の操舵輪に、上記ステアリングホイール１の操作量に応じて、適切な舵角を付与する様に構成している。
【０００３】
この様なステアリング装置に組み込む前記各自在継手３、３として、一般的には、十字軸式自在継手が使用されている。この様な十字軸式自在継手を構成するヨークのうち、本発明の対象となる基本構造を備えたヨークの従来構造の第１例に就いて、図８〜１０を参照しつつ説明する。この従来構造の第１例であるヨーク８は、鋼材等の金属素材に鍛造加工及び切削加工を施す事により造られたもので、基部９と、１対の腕部１０、１０とを備える。
【０００４】
このうちの基部９は、円筒状であって、円周方向１箇所に軸方向に長いスリット１１を、この基部９の内周面と外周面と軸方向基端縁｛図８、図９の（Ａ）、図１０の（Ａ）に於ける右端縁｝とにのみ開口する状態で形成している。このスリット１１は、前記基部９の内径を拡縮可能とする為に設けられている。又、この基部９は、このスリット１１を挟んで設けられた第一、第二両フランジ部１２、１３を備える。この様な基部９の中心孔は、セレーション孔１４としている。又、前記第一、第二両フランジ部１２、１３の互いに整合する位置には、通孔１５とねじ孔１６とが、それぞれ前記セレーション孔１４の中心軸に対して捩れの位置の関係で形成されている。又、前記第一フランジ部１２の外側面で前記通孔１５の開口部を囲む部分には、後述するボルト２１の頭部２２の内側面を当接させる為の座面部１７が、前記通孔１５の軸方向に直交する方向に形成されている。即ち、これら通孔１５の中心軸と座面部１７の中心軸とは、互いに一致している。
【０００５】
又、図８〜９に示す、前記ヨーク８の自由状態で、前記第一、第二両フランジ部１２、１３は、互いに平行になっている。又、同じ状態で、前記通孔１５及び座面部１７と、前記ねじ孔１６とは、互いに同心になっている。更に、同じ状態で、前記スリット１１の幅は、前記セレーション孔１４の内側に後述する回転軸１９の端部を挿入可能な寸法まで広くなっている。
【０００６】
又、前記両腕部１０、１０は、前記基部９の軸方向先端縁｛図８、図９の（Ａ）、図１０の（Ａ）に於ける左端縁｝のうちで、この基部９に関する直径方向反対側となる２箇所位置から軸方向に延出する状態で設けられている。前記両腕部１０、１０同士の配列方向（図８の上下方向）と、前記第一、第二両フランジ部１２、１３同士の配置方向（図８の表裏方向）とは、互いに９０度ずれている。又、前記両腕部１０、１０の先端部には、互いに同心の円孔１８、１８が形成されている。前記十字軸式自在継手を組み立てた状態で、これら両円孔１８、１８内には、それぞれ有底円筒状の軸受カップが内嵌固定される。これと共に、これら両軸受カップ内に、それぞれ複数本のニードルを介して、十字軸の端部が回動自在に支持される。
【０００７】
前記ステアリング装置を組み立てるべく、前記ヨーク８の基部９を、前記ステアリングシャフト２と、前記中間シャフト４と、前記入力軸６（図７）とのうちの何れかである、回転軸１９の端部に、トルクの伝達を可能に結合固定する場合には、先ず、図８〜９に示す様に、前記ヨーク８の自由状態で、前記基部９のセレーション孔１４の内側に、前記回転軸１９の端部を挿入する。これにより、このセレーション孔１４と、この回転軸１９の端部外周面に設けられた雄セレーション２０とを、セレーション係合させる。次いで、図１０に示す様に、ボルト２１を、前記通孔１５に挿通すると共に、前記ねじ孔１６に螺合し、更に締め付ける。これにより、前記スリット１１の幅を弾性的に狭める事に基づき、前記セレーション孔１４を弾性的に縮径させる。この結果、前記セレーション係合部の面圧が上昇し、前記基部９が前記回転軸１９の端部に、トルクの伝達を可能に結合固定された状態となる。
【０００８】
上述した様なヨーク８の場合、前記ボルト２１を組み付ける（締め付ける）と、前記基部９が弾性変形乃至は塑性変形する事に伴い、前記両フランジ部１２、１３に傾斜が生じる。特に、上述したヨーク８の場合には、これら両フランジ部１２、１３同士の間に存在する前記スリット１１が、前記基部９の内周面と外周面と軸方向基端縁とにのみ開口している。この為、前記両フランジ部１２、１３の傾斜は、図１０の（Ｂ）に示す様な、前記基部９の径方向に対する傾斜（この基部９の径方向外側に向かう程、前記両フランジ部１２、１３同士が互いに近づき合う方向の傾斜）と、同図の（Ａ）に示す様な、前記基部９の軸方向に対する傾斜（この基部９の軸方向基端側に向かう程、前記両フランジ部１２、１３同士が互いに近づき合う方向の傾斜）とが、複合されたものとなる。又、これに伴って生じる、前記ねじ孔１６の中心軸と前記座面部１７の中心軸との傾斜も、図１０の（Ｂ）に示す様な、前記基部９の軸方向に直交する仮想平面内での傾斜と、同図の（Ａ）に示す様な、この基部９の軸方向と前記両フランジ部１２、１３の配列方向とに平行な仮想平面内での傾斜とが、複合されたものとなる。何れにしても、上述したヨーク８の場合には、前記ボルト２１を組み付けた状態で、前記ねじ孔１６の中心軸と前記座面部１７の中心軸とが互いに傾斜する為、この事に起因して、前記ボルト２１に曲げ応力が加わる。そして、このボルト２１の締め付け力が大きくなると、この曲げ応力が大きくなって、図１０に示す様に、このボルト２１の杆部の中間部が比較的大きく曲がる傾向となる。この結果、このボルト２１の耐久性が損なわれる可能性がある。
【０００９】
この様なボルトの耐久性に関する問題を緩和する為に、特許文献１には、図１１に示す様な構造が、特許文献２には、図１２に示す様な構造が、それぞれ記載されている。これら従来構造の第２〜３例のヨーク８ａ、８ｂも、上述した従来構造の第１例のヨーク８の場合と同様、基部９ａ、９ｂの円周方向１箇所に設けたスリット１１を、この基部９ａ、９ｂの内周面と外周面と軸方向基端縁とにのみ開口させている。但し、これら従来構造の第２〜３例のヨーク８ａ、８ｂの場合には、上述した従来構造の第１例のヨーク８の場合と異なり、図１１〜１２の（Ａ）（Ｂ）に示す自由状態で、第一フランジ部１２ａ、１２ｂに形成した座面部１７ａ、１７ｂの中心軸と、第二フランジ部１３ａ、１３ｂに形成したねじ孔１６ａ、１６ｂの中心軸とを、図１１〜１２の（Ｂ）に示す基部９ａ、９ｂの軸方向に直交する仮想平面内でのみ、互いに傾斜させている。これにより、図１１〜１２の（Ｃ）（Ｄ）に示すボルト２１の組み付け状態で、前記座面部１７ａ、１７ｂの中心軸と前記ねじ孔１６ａ、１６ｂの中心軸とが、図１１〜１２の（Ｄ）に示す前記基部９ａ、９ｂの軸方向に直交する仮想平面内で、互いに一致する傾向になる様にしている。そして、この様な構成を採用する事により、前記ボルト２１に加わる曲げ応力を抑えられる様にしている。
【００１０】
上述した従来構造の第２〜３例の場合には、自由状態で、前記座面部１７ａ、１７ｂの中心軸と前記ねじ孔１６ａ、１６ｂの中心軸とを、前記基部９ａ、９ｂの軸方向に直交する仮想平面内では、互いに傾斜させているが、この基部９ａ、９ｂの軸方向と前記両フランジ部１２、１３同士の配列方向とに平行な仮想平面内では、互いに傾斜させていない。これに対し、上述した従来構造の第２〜３例の場合も、前述した従来構造の第１例の場合と同様、前記ボルト２１を組み付ける事に伴って生じる、前記座面部１７ａ、１７ｂの中心軸と前記ねじ孔１６ａ、１６ｂの中心軸との傾斜は、前記基部９ａ、９ｂの軸方向に直交する仮想平面内だけでなく、この基部９ａ、９ｂの軸方向と前記両フランジ部１２、１３同士の配列方向とに平行な仮想平面内でも生じる。従って、上述した従来構造の第２〜３例の場合も、前述した従来構造の第１例の場合と同様、前記ボルト２１を組み付けた状態では、前記座面部１７ａ、１７ｂの中心軸と前記ねじ孔１６ａ、１６ｂの中心軸とが、前記基部９ａ、９ｂの軸方向と前記両フランジ部１２、１３同士の配列方向とに平行な仮想平面内で、互いに傾斜する傾向となる｛従来構造の第１例に関する、図１０の（Ａ）参照｝。そして、この傾斜が大きくなった場合には、前記ボルト２１に加わる曲げ応力を十分に抑えられなくなる可能性がある。
尚、本発明に関連する先行技術文献として、上述した特許文献１〜２の他に、下記の特許文献３がある。
【先行技術文献】
【特許文献】
【００１１】
【特許文献１】特開２００８−２９８２６７号公報
【特許文献２】特開２００９−８１７４号公報
【特許文献３】特開２００１−２５４７５５号公報
【発明の概要】
【発明が解決しようとする課題】
【００１２】
本発明は、上述の様な事情に鑑み、基部の円周方向１箇所に設けたスリットを、この基部の内周面と外周面と軸方向基端縁とにのみ開口させているヨークに関して、ボルトを組み付けた状態で、第一フランジ部に形成した座面部の中心軸と、第二フランジ部に形成したねじ孔の中心軸とを、互いにほぼ一致させる事ができる構造を実現すべく発明したものである。
【課題を解決するための手段】
【００１３】
本発明の十字軸式自在継手用ヨークは、回転軸の端部を結合固定する為の基部と、この基部の軸方向先端縁のうちで、この基部に関する直径方向反対側となる２箇所位置から軸方向に延出した１対の腕部と、これら両腕部の先端部に互いに同心に形成された１対の円孔とを備える。
このうちの基部は、筒状であって、円周方向１箇所に、この基部の内周面と外周面と軸方向基端縁とにのみ開口する状態で設けられた軸方向に長いスリットと、このスリットを挟んで設けられた第一、第二両フランジ部と、このうちの第一フランジ部に、前記基部の中心軸に対し捩れの位置の関係で形成された通孔と、同じく第二フランジ部の一部でこの通孔に整合する位置に形成されたねじ孔と、前記第一フランジ部の外側面で前記通孔の開口部を囲む部分に形成された座面部とを備えている。
そして、ボルトを、前記通孔に挿通すると共に、前記ねじ孔に螺合する事により、前記回転軸の端部を前記基部に結合固定する。
特に、本発明の十字軸式自在継手用ヨークに於いては、前記スリットの幅が前記基部の内側に前記回転軸の端部を挿入可能な寸法まで広くなっている状態で、前記ねじ孔の中心軸と前記座面部の中心軸とが、前記基部の軸方向に直交する仮想平面内でも、この基部の軸方向と前記第一、第二両フランジ部同士の配列方向とに平行な仮想平面内でも、互いに傾斜している。そして、この基部の内側で前記回転軸の端部を固定可能な寸法にまで前記スリットの幅を狭くした状態で、前記ねじ孔の中心軸と前記座面部の中心軸とが互いに一致する傾向になる。
以上の様な構成を有する本発明の十字軸式自在継手用ヨークを実施する場合には、追加的に、前記両腕部同士の配列方向と、前記第一、第二両フランジ部同士の配置方向とを、互いに９０度ずらした構成を採用する事ができる。
以上の様な構成を有する本発明の十字軸式自在継手用ヨークを実施する場合には、追加的に、自由状態で、前記通孔に挿通した前記ボルトの杆部を、前記ねじ孔に螺合する事が可能となる様に、前記通孔の内径寸法を、前記ボルトの杆部の外径寸法及び前記ねじ孔の内径寸法よりも大きく形成する構成を採用できる。
又、この様な構成を採用した場合には、追加的に、前記ボルトの杆部を前記ねじ孔に螺合した状態で、前記ボルトの杆部の外周面と、前記通孔の内周面とが当接しない様に構成する事ができる。
【００１４】
上述の様な本発明の十字軸式自在継手用ヨークを実施する場合には、例えば請求項２に記載した発明の様に、前記座面部の中心軸を前記第一フランジ部の厚さ方向に対して傾斜させ、且つ、前記ねじ孔の中心軸を前記第二フランジ部の厚さ方向に対して傾斜させる。
或いは、請求項３に記載した発明の様に、前記座面部の中心軸を前記第一フランジ部の厚さ方向に対して傾斜させ、且つ、前記ねじ孔の中心軸を前記第二フランジ部の厚さ方向に一致させる構造と、前記座面部の中心軸を前記第一フランジ部の厚さ方向に一致させ、且つ、前記ねじ孔の中心軸を前記第二フランジ部の厚さ方向に対して傾斜させる構造とのうちの、何れか一方の構造を採用する。
【発明の効果】
【００１５】
上述の様に構成する本発明の十字軸式自在継手用ヨークによれば、前記ボルトを組み付けた状態、即ち、前記通孔に挿通したこのボルトの杆部を前記ねじ孔に螺合し、更に締め付ける事により、前記基部の内側で前記回転軸の端部を固定可能な寸法にまで前記スリットの幅を狭くした状態で、前記ねじ孔の中心軸と、前記ボルトの頭部の内側面を当接させる為の前記座面部の中心軸とを、互いにほぼ一致させる事ができる。この為、前記ボルトの締め付け力が大きくなった場合にも、このボルトに大きな曲げ応力が加わる事を防止できる。この結果、このボルトの耐久性を高める事ができる。
【００１６】
又、請求項２に記載した発明の構成を採用すれば、前記第一フランジ部の厚さ方向に対する前記座面部の中心軸の傾斜角度と、前記第二フランジ部の厚さ方向に対する前記ねじ孔の中心軸の傾斜角度とを、比較的小さく抑えられる。この為、前記第一フランジ部に対する前記座面部の形成のし易さと、前記第二フランジ部に対する前記ねじ孔の形成のし易さとを、それぞれ良好にできる。
又、請求項３に記載した発明に関して、前記座面部の中心軸を前記第一フランジ部の厚さ方向に一致させる構成を採用する場合には、この第一フランジ部に対する前記座面部の形成のし易さを、より高いレベルで良好にできる。これに対し、前記ねじ孔の中心軸を前記第二フランジ部の厚さ方向に一致させる構成を採用する場合には、この第二フランジ部に対する前記ねじ孔の形成のし易さを、より高いレベルで良好にできる。
【図面の簡単な説明】
【００１７】
【図１】本発明の実施の形態の第１例を示す側面図。
【図２】図１のａ−ａ断面図（Ａ）、及び、（Ａ）のｂ−ｂ断面図（Ｂ）。
【図３】ボルト組み付け後の状態で示す、図２と同様の図。
【図４】本発明の実施の形態の第２例を示す、図２と同様の図。
【図５】同第３例を示す、図２と同様の図。
【図６】同第４例を示す、図２と同様の図。
【図７】従来から知られているステアリング装置の１例を示す斜視図。
【図８】従来構造の第１例を示す側面図。
【図９】図８のｃ−ｃ断面図（Ａ）、及び、（Ａ）のｄ−ｄ断面図（Ｂ）。
【図１０】ボルト組み付け後の状態で示す、図９と同様の図。
【図１１】従来構造の第２例を、ボルト組み付け前の状態で示す側面図（Ａ）及び断面図（Ｂ）、並びに、ボルト組み付け後の状態で示す側面図（Ｃ）及び断面図（Ｄ）。
【図１２】同第３例を示す、図１１と同様の図。
【発明を実施するための形態】
【００１８】
［実施の形態の第１例］
図１〜３は、本発明の実施の形態の第１例を示している。尚、本例のヨーク８ｃの特徴は、自由状態で互いに平行に配置された第一、第二両フランジ部１２ｃ、１３ｃに対する、通孔１５ｃとねじ孔１６ｃと座面部１７ｃとの形成方向にある。その他の部分の構造及び作用は、前述の図８〜１０に示した従来構造の第１例の場合と同様であるから、同等部分には同一符号を付して、重複する説明を省略若しくは簡略にし、以下、本例の特徴部分を中心に説明する。
【００１９】
本例の場合には、前記第一フランジ部１２ｃに形成した前記通孔１５ｃと前記座面部１７ｃとを、互いに同心に配置しているが、これら通孔１５ｃ及び座面部１７ｃの中心軸を、前記第一フランジ部１２ｃの厚さ方向に対して傾斜させている。又、前記第二フランジ部１３ｃに形成した前記ねじ孔１６ｃの中心軸も、この第二フランジ部１３ｃの厚さ方向に対して傾斜させている。これにより、自由状態で、前記通孔１５ｃ及び座面部１７ｃの中心軸と、前記ねじ孔１６ｃの中心軸とを、前記基部９ｃの軸方向に直交する仮想平面｛図２の（Ｂ）の紙面｝内でも、この基部９ｃの軸方向と前記第一、第二両フランジ部１２ｃ、１３ｃの配列方向とに平行な仮想平面｛図２の（Ａ）の紙面｝内でも、互いに傾斜させている。具体的には、前記通孔１５ｃ及び座面部１７ｃの中心軸と、前記ねじ孔１６ｃの中心軸とをそれぞれ、図２の（Ｂ）の紙面内で、互いに近づく方向に向かう程、前記両フランジ部１２ｃ、１３ｃの先端側｛図２の（Ｂ）の左端側｝に向かう方向に傾斜させると共に、図２の（Ａ）の紙面内で、互いに近づく方向に向かう程、前記基部９ｃの軸方向基端側｛図２の（Ａ）の右端側｝に向かう方向に傾斜させている。そして、この様な構成を採用する事により、図３に示すボルト２１の組み付け状態で、前記通孔１５ｃ及び座面部１７ｃの中心軸と、前記ねじ孔１６ｃの中心軸とが、互いにほぼ一致する様にしている。
【００２０】
即ち、本例の場合には、前記ボルト２１を組み付けた状態で、前記通孔１５ｃ及び座面部１７ｃの中心軸と、前記ねじ孔１６ｃの中心軸とが、互いにほぼ一致する様に、前記ボルト２１を組み付ける事に伴う、前記両フランジ部１２ｃ、１３ｃの傾斜方向及び傾斜量を考慮して、自由状態での前記通孔１５ｃ及び座面部１７ｃの中心軸と前記ねじ孔１６ｃの中心軸との傾斜方向及び傾斜量を規制している。この傾斜方向は、図１に示す様に、前記両フランジ部１２ｃ、１３ｃの配列方向（図１の表裏方向）から見た状態で、前記基部９ｃの中心軸に対してθ度傾斜したα方向となる。この傾斜角度θは、４５度程度が目安となるが、実際には、前記ヨーク８ｃの材質や前記スリット１１の形状及び寸法等の諸条件によって、その値が変化する。この為、前記傾斜角度θは、前記ヨーク８ｃの実際の変形に応じた適切な値に設定する。自由状態での前記通孔１５ｃ及び座面部１７ｃの中心軸と前記ねじ孔１６ｃの中心軸との傾斜量に就いても同様である。尚、前記座面部１７ｃは、図１の矢印イ方向に向かって深くなる様に形成している。
【００２１】
又、本例の場合、前記通孔１５ｃの内径寸法は、前記ボルト２１の杆部の外径寸法よりも、十分に大きくしている。これにより、自由状態で、前記通孔１５ｃに挿通した前記ボルト２１の杆部を、前記ねじ孔１６ｃに螺合する事を可能にしている。これと共に、その後、このボルト２１を締め付けた状態で、このボルト２１の杆部の外周面に、前記通孔１５ｃの内周面（特に、この内周面の軸方向端部）が強く押し付けられる事を防止できる様にしている。
【００２２】
上述の様に、本例の十字軸式自在継手用ヨークによれば、前記ボルト２１を組み付けた状態で、前記ねじ孔１６ｃの中心軸と、前記ボルト２１の頭部２２の内側面を当接させる為の座面部１７ｃの中心軸とを、互いにほぼ一致させる事ができる。この為、前記ボルト２１の締め付け力が大きくなった場合にも、このボルト２１に大きな曲げ応力が加わる事を防止できる。この結果、このボルト２１の耐久性を高める事ができる。
【００２３】
又、本例の場合には、前記通孔１５ｃ及び座面部１７ｃの中心軸を前記第一フランジ部１２ｃの厚さ方向に対して傾斜させると共に、前記ねじ孔１６ｃの中心軸を前記第二フランジ部１３ｃの厚さ方向に対して傾斜させる構成を採用している。この為、前記第一フランジ部１２ｃの厚さ方向に対する前記通孔１５ｃ及び座面部１７ｃの中心軸の傾斜角度と、前記第二フランジ部１３ｃの厚さ方向に対する前記ねじ孔１６ｃの中心軸の傾斜角度とを、比較的小さく抑えられる。この為、前記第一フランジ部１２ｃに対する前記通孔１５ｃ及び座面部１７ｃの形成のし易さと、前記第二フランジ部１３ｃに対する前記ねじ孔１６ｃの形成のし易さとを、それぞれ良好にできる。
【００２４】
［実施の形態の第２例］
図４は、本発明の実施の形態の第２例を示している。本例の場合には、ねじ孔１６ｃの中心軸のみを、第二フランジ部１３ｃの厚さ方向に対して傾斜させており、通孔１５及び座面部１７の中心軸は、第一フランジ部１２の厚さ方向に一致させている。この様な構成を採用する本例の場合には、この第一フランジ部１２に対する前記通孔１５及び座面部１７の形成のし易さを、より高いレベルで良好にできる。
その他の構成及び作用は、上述した実施の形態の第１例の場合と同様であるから、同等部分には同一符号又は同種の符号（同一数字及び異なるアルファベット文字から成る符号）を付して、重複する図示並びに説明は省略する。
【００２５】
［実施の形態の第３例］
図５は、本発明の実施の形態の第３例を示している。本例の場合には、通孔１５ｃ及び座面部１７ｃの中心軸のみを、第一フランジ部１２ｃの厚さ方向に対して傾斜させており、ねじ孔１６の中心軸は、第二フランジ部１３の厚さ方向に一致させている。この様な構成を採用する本例の場合には、この第二フランジ部１３に対する前記ねじ孔１６の形成のし易さを、より高いレベルで良好にできる。
その他の構成及び作用は、前述した実施の形態の第１例の場合と同様であるから、同等部分には同一符号又は同種の符号（同一数字及び異なるアルファベット文字から成る符号）を付して、重複する図示並びに説明は省略する。
【００２６】
［実施の形態の第４例］
図６は、本発明の実施の形態の第４例を示している。本例の場合には、座面部１７ｃの中心軸のみを、第一フランジ部１２ｄの厚さ方向に対して傾斜させている。通孔１５の中心軸は、この第一フランジ部１２ｄの厚さ方向に一致させており、ねじ孔１６の中心軸も、第二フランジ部１３の厚さ方向に一致させている。この様な構成を採用する本例の場合には、前記第一フランジ部１２ｄに対する前記通孔１５の形成のし易さと、前記第二フランジ部１３に対する前記ねじ孔１６の形成のし易さとを、それぞれより高いレベルで良好にできる。
その他の構成及び作用は、前述した実施の形態の第１例の場合と同様であるから、同等部分には同一符号又は同種の符号（同一数字及び異なるアルファベット文字から成る符号）を付して、重複する図示並びに説明は省略する。
【産業上の利用可能性】
【００２７】
本発明は、基部の円周方向１箇所に設けたスリットが、この基部の内周面と外周面と軸方向基端縁とにのみ開口しているヨークであって、基部を構成する第一、第二両フランジ部同士の配列方向と、１対の腕部同士の配列方向とが、互いに直角になっている構造に適用できる。但し、本発明の技術的範囲からは外れるが、基部の円周方向１箇所に設けたスリットが、この基部の内周面と外周面と軸方向基端縁とにのみ開口しているヨークであって、基部を構成する第一、第二両フランジ部同士の配列方向と、１対の腕部同士の配列方向とが互いに一致している構造（例えば、特許文献３の図６〜８参照）に対しても、適用できる。
【符号の説明】
【００２８】
１  ステアリングホイール
２  ステアリングシャフト
３  自在継手
４  中間シャフト
５  ステアリングギヤユニット
６  入力軸
７  タイロッド
８、８ａ〜８ｆ  ヨーク
９、９ａ〜９ｆ  基部
１０  腕部
１１  スリット
１２、１２ａ〜１２ｄ  第一フランジ部
１３、１３ａ〜１３ｃ  第二フランジ部
１４  セレーション孔
１５、１５ａ〜１５ｃ  通孔
１６、１６ａ〜１６ｃ  ねじ孔
１７、１７ａ〜１７ｃ  座面部
１８  円孔
１９  回転軸
２０  雄セレーション部
２１  ボルト
２２  頭部
【図１】
0005834928.tif 000002
【図２】
0005834928.tif 000003
【図３】
0005834928.tif 000004
【図４】
0005834928.tif 000005
【図５】
0005834928.tif 000006
【図６】
0005834928.tif 000007
【図７】
0005834928.tif 000008
【図８】
0005834928.tif 000009
【図９】
0005834928.tif 000010
【図１０】
0005834928.tif 000011
【図１１】
0005834928.tif 000012
【図１２】
0005834928.tif 000013